(57)【特許請求の範囲】
【請求項１】
３層以上の記録層を有する多層光記録媒体において、
各記録層は情報領域を有し、
光入射側から見て最も近い記録層と最も遠い記録層以外の記録層は、前記情報領域の内周側に隣接する凹凸パターンが形成された第１の環状領域と、前記情報領域の外周側に隣接する凹凸パターンが形成された第２の環状領域を有することを特徴とする多層光記録媒体。
【請求項２】
請求項１記載の多層光記録媒体において、前記記録層の情報領域と前記第１及び第２の環状領域を合わせた領域は、光入射側から見て当該記録層の次の記録層の情報領域より広い領域を覆っていることを特徴とする多層光記録媒体。
【請求項３】
請求項１記載の多層光記録媒体において、前記第１及び第２の環状領域に形成された凹凸パターンは、凹凸パターン間にできる平らな領域のサイズが光スポットより小さくなるように形成されていることを特徴とする多層光記録媒体。
【請求項４】
請求項１記載の多層光記録媒体において、前記第１及び第２の環状領域に形成された凹凸パターンは、光スポットの直径をＤとしたとき、長さがＤ／４以上３Ｄ／８未満のピット、長さが３Ｄ／８以上Ｄ／２未満のピット、長さがＤ／２以上Ｄ未満のピット、及び長さがＤ以上のピットの組合せからなり、かつデータ領域の凹凸パターンと異なることを特徴とする多層光記録媒体。
【請求項５】
３層以上の記録層を有する多層光記録媒体において、
各記録層は情報領域と前記情報領域の内周側及び外周側に配置された凹凸のない平らな領域を有し、
光入射側から見て最も近い記録層と最も遠い記録層以外の記録層は、前記情報領域の内周側に隣接する凹凸パターンが形成された第１の環状領域と、前記情報領域の外周側に隣接する凹凸パターンが形成された第２の環状領域を有することを特徴とする多層光記録媒体。
【請求項６】
請求項５記載の多層光記録媒体において、前記記録層の情報領域と前記第１及び第２の環状領域を合わせた領域は、光入射側から見て当該記録層の次の記録層の情報領域より広い領域を覆っていることを特徴とする多層光記録媒体。
【請求項７】
請求項５記載の多層光記録媒体において、前記第１及び第２の環状領域に形成された凹凸パターンは、凹凸パターン間にできる平らな領域のサイズが光スポットより小さくなるように形成されていることを特徴とする多層光記録媒体。
【請求項８】
請求項５記載の多層光記録媒体において、前記第１及び第２の環状領域に形成された凹凸パターンは、光スポットの直径をＤとしたとき、長さがＤ／４以上３Ｄ／８未満のピット、長さが３Ｄ／８以上Ｄ／２未満のピット、長さがＤ／２以上Ｄ未満のピット、及び長さがＤ以上のピットの組合せからなり、かつデータ領域の凹凸パターンと異なることを特徴とする多層光記録媒体。
【発明の詳細な説明】
【技術分野】
【０００１】
本発明は、３層以上の記録層を有する多層光記録媒体において発生する層間クロストークを低減した、多層光記録媒体に関する。
【背景技術】
【０００２】
図１（ａ）は、光記録媒体の中でも、従来から知られている多層光ディスクの断面構造であり、各記録層の情報を選択的に記録再生する原理を模式的に示したものである。図の例では、記録媒体は合計６つの情報が記録された層（以下、記録層と呼ぶ）を有し、光ディスクへの光照射の際の光入射とは反対側、すなわち図中下側より、第１の記録層１０１、第２の記録層１０２、第３の記録層１０３、第４の記録層１０４、第５の記録層１０５、第６の記録層１０６という。この６層媒体を用いて、例えば、第３の記録層１０３上の記録情報にアクセスするためには、光記録再生装置の対物レンズの位置を制御し、光スポット１０７の位置を第３の記録層１０３上に位置づける。その際、対物レンズによって絞り込まれる途中の収束光１０８は、半透明の第６の記録層１０６、第５の記録層１０５、第４の記録層１０４を透過し、この第６、第５、第４の記録層上では、収束光１０８の光束径は、第３の記録層上での光スポット１０７の直径と比べて十分に大きく、このため、半透明の第６、第５、第４の記録層１０６、１０５、１０４上の記録情報を分解して再生することができない。また半透明の第６、５、４の記録層１０６、１０５、１０４上では光束径が大きいため、単位面積あたりの光強度が相対的に小さくなり、記録時に第６、第５、４の記録層１０６、１０５、１０４の情報を破壊する心配はない。このようにして第６、第５、第４の記録層の影響を受けずに、照射光の入射側から遠い奥にある第３の記録層の情報記録再生を実現している。この他の記録層への情報記録再生も、同様に対物レンズの位置を制御することによって行う。このように、他の層への影響なく、複数の記録層を有する光記録媒体上で記録再生を行う条件に関しては、特許文献１に詳細が記載されている。
【０００３】
多層光ディスクの再生では、照射光の入射側から見た目的の記録層の手前（以下、手前は同様の趣旨）の記録層による光の減衰の効果とともに、記録再生の目的とする記録層よりも手前の記録層での光の多重反射によって生じる影響が問題になる。この多重反射光が情報記録再生において問題となる様子を、図２を用いて説明する。記録再生の目的とする記録層を第ｎ層としたとき、図に示したように光スポット１０７が第ｎ層上に形成されるように収束光からなる入射光１０８を照射する。この時、目的とする記録層の一つ手前の第ｎ＋１層で反射した光は不要光４０２となり、第ｎ＋２層の裏面に到達して、第ｎ＋２層の裏面で反射した不要光４０２が再び第ｎ＋１層で反射されて、第ｎ層の反射光とほぼ同一経路をたどって、あたかも第ｎ層の反射光として検出されると、大きな層間クロストークを生じさせることになる。以下、本明細書中でクロストークとは、層間クロストークのことを指す。このような不要光が検出されることは大きな問題であることが非特許文献１、２にて指摘されている。
【０００４】
このため、層間クロストークを低減させる方法としては、非特許文献１に層間距離を変えた多層媒体、特許文献２、３に、記録層に積層された膜を工夫することにより反射率を制御した多層媒体の例が示されている。
【０００５】
【特許文献１】特開平５−１０１３９８号公報
【特許文献２】特開２００６−４８８１１号公報
【特許文献３】特開２００７−２２０１５０号公報
【非特許文献１】Japanese Journal of Applied Physics, Vol. 43, No. 7B, 2004, pp. 4983-4986
【非特許文献２】Ushiyama et al, Tech. Digest of ODS2006, WDPDP3.
【発明の開示】
【発明が解決しようとする課題】
【０００６】
前述したように、多層光記録媒体の設計では、不要光スポットによる層間クロストークが問題となる。不要光は第ｎ＋２層上で収束し、不要光スポットとなるため、第ｎ＋２層上の情報が光学的に分解できてしまい、不要光の影響は通常の光記録再生信号の帯域と重なり分離できない。また、不要光である戻り光は、第ｎ層の反射光とほぼ同一経路をたどって、あたかも第ｎ層の反射光として検出されるため、検出器上でも、本来の第ｎ層の反射光と完全に重なってしまう。検出器上で光が分離できないということは、不要光による層間クロストークの影響を光学系で取り除くことが困難であることを意味しており、多層媒体の層間距離を変化させる方法や記録層に積層された層を工夫して反射率を制御する方法がある。しかし、従来の多層光記録媒体は、図１（ｂ）の断面模式図に示すように、各記録層１０１〜１０６にトラッキング用の溝やピット等の凹凸がある情報領域２２４だけではなく、最内周縁部及び最外周縁部に凹凸のない平らな領域１２１が形成されており、従来方法だけでは層間クロストークの影響を完全に取り除くことが出来ないことが、発明者らの検討により判明した。なお、情報領域２２４は、データ領域２２１とLead-in領域２２０及びLead-out領域２２２からなる。
【０００７】
本発明は、多層光記録媒体の記録層が３層以上である場合に生じる層間クロストークの影響を低減させる方法及び層間クロストークを低減した多層光記録媒体を提供することを目的とする。
【課題を解決するための手段】
【０００８】
本発明の多層光記録媒体は、３層以上の記録層を有する。各記録層は情報領域を有し、光入射側から見て最も近い記録層と最も遠い記録層以外の記録層は、情報領域の内周側に隣接する凹凸パターンが形成された第１の環状領域と、情報領域の外周側に隣接する凹凸パターンが形成された第２の環状領域を有する。これにより、３層以上の記録層を有する多層光記録媒体にて発生する不要光スポットの影響を低減することが可能となる。
【０００９】
また、各記録層は情報領域と情報領域の内周側及び外周側に配置された凹凸のない平らな領域を有し、光入射側から見て最も近い記録層と最も遠い記録層以外の記録層は、情報領域の内周側に隣接する凹凸パターンが形成された第１の環状領域と、情報領域の外周側に隣接する凹凸パターンが形成された第２の環状領域を有する。これにより、３層以上の記録層を有する多層光記録媒体にて発生する不要光スポットの影響を低減することが可能となる。
【００１０】
記録層の情報領域と第１及び第２の環状領域を合わせた領域は、光入射側から見て当該記録層の次の記録層の情報領域より広い領域を覆っている。換言すると、各記録層の情報領域、特にその内周側縁部及び外周側縁部に注目すると、その光入射側に隣接する記録層の対応領域は凹凸のない平らな領域ではなく、凹凸パターンが形成された領域になっている。
【００１１】
また、第１及び第２の環状領域に形成された凹凸パターンは、凹凸パターン間にできる平らな領域のサイズが光スポットより小さくなるように形成されている。
【００１２】
第１及び第２の環状領域に形成された凹凸パターンは、光スポットの直径をＤとしたとき、長さがＤ／４以上３Ｄ／８未満のピット、長さが３Ｄ／８以上Ｄ／２未満のピット、長さがＤ／２以上Ｄ未満のピット、及び長さがＤ以上のピットの組合せからなり、かつデータ領域の凹凸パターンと異なるものとすることができる。
【００１３】
これにより、第１及び第２の環状領域は、３層以上の記録層を有する多層光記録媒体にて発生する不要光スポットによる層間クロストークを低減する以外に、光学系の再生条件を最適化するために利用することが出来、再生時の信号品質を向上することが可能となる。
【発明の効果】
【００１４】
本発明によれば、多数の記録層を有する多層光記録媒体の不要光スポットによる層間クロストークを低減できる。また、本発明によれば、従来の方法との組合せも可能で、より層間クロストークを低減した、高性能多層光記録媒体を提供することができる。
【発明を実施するための最良の形態】
【００１５】
以下、図面を参照して本発明の実施の形態を説明する。
［実施例１］
図３（ａ）は、本発明の一つの実施例の多層記録媒体の断面構造を模式的に示したものである。ここでは６層の記録層を持つ多層記録媒体を例に挙げている。光を照射する際の光入射と反対側より、基板２１９、第１の記録層（Ｌ０）２０１、第２の記録層（Ｌ１）２０２、第３の記録層（Ｌ２）２０３、第４の記録層（Ｌ３）２０４、第５の記録層（Ｌ４）２０５、第６の記録層（Ｌ５）２０６を備えている。各々の記録層間の層間材料２１０、２１１、２１２、２１３、２１４の膜厚は約１０μｍである。その上に約５０μｍのカバー層２０９が形成される。入射面側から収束光１０８が照射され、記録層上に光スポット１０７が形成される。
【００１６】
各記録層は、記録型の多層光記録媒体の場合一般的には、図３（ｂ）に示すように、反射膜１１５、保護膜１１６、記録膜１１７、保護膜１１８から形成されるが、このほかの構成でも良い。すなわち、これ以外の膜を含んでも良いし、例えば保護膜がなくても良い。また、ここでは異なる記録層でも同じ膜構成である例を示したが、記録層ごとに膜構成が異なっていても良いし、各膜の材料や膜厚が異なっていても良い。
【００１７】
図３（ｃ）に、本媒体を半径方向に切断した場合のレイアウトを示した。本発明の一つの実施例では、光入射側より２番目から光入射と反対側より２番目までの記録層、つまりＬ４からＬ１にゴースト防止領域２２３が形成されている。ゴースト防止領域には、ピッチ０．３μｍ、幅０．１４μｍ、深さ２５ｎｍの溝が隙間無く形成されている。このゴースト防止領域は、Lead-in領域２２０、Lead-out領域２２２といったデータ以外の情報をもつ領域とデータ領域２２１を含む情報領域２２４と、凹凸のない平らな領域１２１との間に形成され、情報領域２２４と平らな領域１２１とが面内方向に隣接しないようにして、層間クロストークを低減する効果がある。本実施例では、内周側の円環状のゴースト防止領域、及び外周側の円環状のゴースト防止領域の幅をそれぞれ２００μｍとした。本実施例では記録型多層情報記録媒体を考えているため、データ領域２２１にはデータがトラックに沿って記録できるように溝が形成されているが、再生専用（ＲＯＭ型）の媒体の場合にはデータ部にはピットが形成されており、本発明の技術はどちらの媒体に対しても有効である。ここで、情報領域とゴースト防止領域のように、凹凸を形成した領域は、パターン領域１２０と呼び、凹凸のない平らな領域１２１と区別する。
【００１８】
レーザ波長４００ｎｍ、レンズのＮＡ０．８５の光学系を持つ記録再生装置を用い、線速度５ｍ／ｓで再生を行ったとき、層間クロストークの指標として、各記録層において信号変動量Ｍを測定した結果を表１に纏めた。装置の詳細は実施例４に記載する。
【００１９】
Ｍ＝２（ＩＨ−ＩＬ）／（ＩＨ＋ＩＬ）              （１）
ここで、ＩＨは反射率の最大値、ＩＬは反射率の最小値である（図４参照）。図４（ａ）は、Ｌ４にフォーカスし、トラッキングを掛けていない状態の再生信号である。図４（ｂ）は、Ｌ３にフォーカスし、トラッキングを掛けた状態の再生信号である。図４（ａ），（ｂ）では、面内の同じ位置をスポットが移動したところを比較できるようにした。
【００２０】
表１において、再生層は再生中の記録層のことを指す。光入射から遠いほど不要スポットによるクロストークの影響が大きくなるため、信号変動量は光入射と反対側ほど大きくなるが、本実施例の媒体では信号変動量を０．２１以下と小さくすることが出来た。これにより、不要光スポットによる層間クロストークの影響が低減した多層光記録媒体を提供することが可能となる。
【００２１】
【表１】
0005030842.tif 000002
【００２２】
なお、本実施例に記載していない装置の構成、再生方法等は実施例２〜５と同様にした。
【００２３】
［比較例１］
上記実施例１に対し、比較のためにゴースト防止領域を持たない多層光記録媒体を作成した。それ以外の構成、具体的には層間の距離、材質、記録層の材料、膜厚、記録再生装置等は実施例１と同様にした。このようにして作成した、比較例の多層光記録媒体を半径方向に切断した場合のレイアウトを図１（ｂ）に示した。この媒体では、Ｌ１からＬ４までの情報領域２２４と凹凸のない平らな領域１２１が半径方向に接して形成されている。このため、図１（ｂ）の評価ポイントＥＰにて再生信号を評価したところ、比較例の媒体では、図５に示すように信号変動量Ｍが０．６３と極めて大きいことがわかった。
【００２４】
図５（ａ）は、Ｌ４にフォーカスし、トラッキングを掛けていない状態の再生信号である。凹凸のない平らな領域上をスポットが横切るときは、平均反射率が高く、溝のような凹凸パターンが形成されている領域を横切るときは、平均反射率が低いことがわかる。図５（ｂ）は、Ｌ３にフォーカスし、トラッキングを掛けた状態の再生信号である。図５（ａ），（ｂ）では、面内の同じ位置をスポットが移動したところを比較できるようにした。Ｌ４の平均反射率が高い場所では、Ｌ３の信号変動量が大きく、Ｌ４の平均反射率が低い場所では、Ｌ３の信号変動量が小さくなることがわかる。
【００２５】
比較例の媒体における信号変動量Ｍを測定した結果を表２に纏めた。光入射側から第１、第２の記録層を再生した場合においては、不要スポットによる層間クロストークは生じないため、実施例１の媒体とほぼ同様の結果が得られたが、第３から６の記録層を再生した場合には、不要スポットによる層間クロストークが生じるため、信号変動量は極めて大きかった。
【００２６】
【表２】
0005030842.tif 000003
【００２７】
また、１周のうち一部において信号変動が大きくなる理由は、各記録層のパターン領域が偏芯しているためである。偏芯によりパターン領域のずれを示す概念図を図６に示した。図６（ａ）は平面図、図６（ｂ）はそのＡＡ’断面図、図６（ｃ）はＢＢ’断面図である。ここでは、第４の記録層（Ｌ３）と第５の記録層（Ｌ４）を例にとるが、他の層の組合せでも同様である。Ｌ３の中心８０６とＬ４の中心８０５が、図のようにずれていることで、Ｌ３のパターン領域８０２とＬ４のパターン領域８０３もずれてしまう。このため、光スポットが、Ｌ３のパターン領域とＬ４のパターン領域が重なった領域８０４と重なっていない領域８０３を横切るような場合、図５に示すように、信号変動量が小さい場所と、信号変動量が大きい場所が生じる。すなわち、図６（ｂ），（ｃ）に摸式的に示すように、Ｌ３を再生しているとき、再生トラック上のＬ４の状態が凹凸のあるパターン領域ではなく凹凸のない平らな領域であるときに、信号変動量が大きくなる。
【００２８】
［実施例２］
実施例１のゴースト防止領域の凹凸部の深さのみ変化させた多層光記録媒体を用意し、ゴースト防止領域の凹凸部の深さとクロストーク抑制効果との関係を調べ、図７と表３に纏めた。ここでは、各溝深さにおける信号レベル差Ｐを測定した。
Ｐ＝ＩＨ−ＩＬ                                    （２）
【００２９】
まず最初に、図８（ａ）に示されるような溝状の凹凸部について調べた。溝深さはｄ１に該当する。溝深さが０ｎｍは凹凸のない平らな状態である。
【００３０】
【表３】
0005030842.tif 000004
【００３１】
以上より、ゴースト防止領域に溝が形成され不要スポットによるクロストーク発生が抑えられ、信号変動が小さくなるため、信号レベル差Ｐが抑えられることがわかる。このように、６ｎｍといった浅い凹凸でも、凹凸が形成されることでクロストーク抑制効果が見られる。さらに、溝深さが２３ｎｍ以上１０３ｎｍ以下だと信号レベル差を半減できるためより好ましく、溝深さが３０ｎｍ以上９５ｎｍ以下だと非常に好ましい。言い換えると、波長をλ、基板や凹凸構成材料の屈折率をｎとするとき、溝深さがλ／１１ｎ以上λ／２．４ｎ以下だと好ましく、溝深さがλ／８．３ｎ以上λ／２．６ｎ以下だと非常に好ましい。
【００３２】
また、溝の斜面が図８（ａ）に示されるように垂直に近い形ではなく、凹凸斜面が斜めの溝（図８（ｂ））でも同様なクロストーク抑制効果が見られた。このほか、凹凸の肩が丸まった溝（図８（ｃ））、底が丸みを帯びた溝（図８（ｄ）、図８（ｆ））、底が尖った形状の溝（図８（ｅ））、平らな領域部分が非常に狭い溝（図８（ｆ））でも上記に近いクロストーク抑制効果が見られた。それぞれの形状の場合、溝深さに相当する寸法は、図中のｄ２、ｄ３、ｄ４、ｄ５、ｄ６である。
【００３３】
なお、本実施例に記載していない装置の構成、再生方法等は実施例１、３〜５と同様にした。
【００３４】
［実施例３］
実施例１のゴースト防止領域の凹凸部の面内方向の形状のみ変化させた多層光記録媒体を用意し、ゴースト防止領域の凹凸部の形状とクロストーク抑制効果との関係を調べた。まず、実施例１で採用した図９（ａ）に示されるような溝状の凹凸部以外に、溝がところどころ途切れたような形状（図９（ｂ））、溝の幅や間隔がふぞろいな形状（図９（ｃ））、溝の角度がずれている形状（図９（ｄ））、溝の位置がずれている形状（図９（ｅ））、溝の間隔が詰まっている形状（図９（ｆ））についても、図１０（ａ）、図１０（ｃ）に示されるように、溝部と凹凸のない平らな領域部の両方が光スポット内にかかる場合は、実施例１と同様のクロストーク抑制効果が見られた。一方、溝の間隔やサイズが大きすぎて、図１０（ｂ）、図１０（ｄ）のように、光スポットが溝と溝の間にすっぽり入ってしまうような場合、層間クロストーク抑制効果が減少した。これは、部分的に凹凸のない平らな領域があるため、局所的な領域において層間クロストークが大きくなるためである。このため、局所的に信号変動が大きくなった。
【００３５】
このほか、溝以外の凹凸形状についても調べた。図１１のように、長円状の形の組合せや、図１２のように涙形の組合せによるパターンでも層間クロストーク抑制効果が見られた。組み合わせ方としては、図１１（ａ）や図１２（ａ）のように規則的に並んでいる場合、図１１（ｂ）や図１２（ｂ）のように間隔がずれている場合、図１１（ｃ）や図１２（ｃ）のように大きさが不揃いの場合、図１１（ｄ）や図１２（ｄ）のように向きが傾いている場合、図１１（ｅ）や図１２（ｅ）のように長さの違うものが組み合わさっている場合、図１１（ｆ）や図１２（ｆ）のように凹凸の密度が詰まっている場合のいずれにおいても層間クロストーク抑制効果が見られた。ここで長円状の形には、多少その弧がでこぼことゆがみが出たり、直線部分がゆがんでいても、全形が長円に似ているものは含まれる。
【００３６】
さらに、図１１（ｅ）のように、長さの違うものが組み合わさっているパターンのうち、光スポットの直径をＤとしたとき、図１３（ａ）に示すように、長さがＤ／４以上３Ｄ／８未満の長円ピットＳ、長さが３Ｄ／８以上Ｄ／２未満の長円ピットＭ、長さがＤ／２以上Ｄ未満の長円ピットＬ、長さがＤ以上の長円ピットＸの組合せからなり、かつデータ領域の凹凸パターンと異なる場合には、ゴースト防止領域は、３層以上の記録層を有する多層光記録媒体にて発生する不要光スポットによる層間クロストークを低減する以外に、再生信号の信号品質を向上に寄与出来る。ピットには、長円以外の形状も含まれる。以下、本明細書中では単にピットと呼ぶ。図１３中の３Ｂ、４Ｂ、７Ｂ、９Ｂはそれぞれ、ピットＳ又はスペース部Ｓの長さ、ピットＭ又はスペース部Ｍの長さ、ピットＬ又はスペース部Ｌの長さ、ピットＸ又はスペース部Ｘの長さをさす。このパターン群は、データ部における最短マーク長がＤ／４未満となるような、高密度記録媒体において特に効力を発揮する。これは、ゴースト防止領域の形成されている層を再生した際、この凹凸パターンを用いて、光学系の再生条件を最適化することが出来るためである。具体的には、媒体中の記録層とヘッド間の距離、傾きを物理的又は電気的に調整してレーザスポットサイズを最適化したり、レーザ光のパワーレベル、パルス幅、温度等を調整してスポット内のレーザ光強度を最適化したりすることができる。
【００３７】
再生信号の信号品質向上には、長さがＤ／４以上３Ｄ／８未満のピット（Ｓｍ）、長さが３Ｄ／８以上Ｄ／２未満のピット（Ｍｍ）、長さがＤ／２以上Ｄ未満の長さＬのピット（Ｌｍ）、長さがＤ以上の長さＸのピット（Ｘｍ）、長さがＤ／４以上３Ｄ／８未満のスペース部（Ｓｓ）、長さが３Ｄ／８以上Ｄ／２未満でかつＳより長さＭのスペース部（Ｍｓ）、長さがＤ／２以上Ｄ未満の長さＬのスペース部（Ｌｓ）、長さがＤ以上の長さＸのスペース部（Ｘｓ）、これらの４組の長さのピットとスペース部の組合せからなるパターンを持っていることが好ましい。図１３（ｂ）は、長さがＤ／４以上３Ｄ／８未満のピット（Ｓｍ）とＤ以上の長さＸのスペース部（Ｘｓ）からなるパターン群、図１３（ｃ）は、長さがＤ／２以上Ｄ未満の長さＬのピット（Ｌｍ）と３Ｄ／８以上Ｄ／２未満でかつＳより長さＭのスペース部（Ｍｓ）からなるパターンを例として示した。
【００３８】
図１４に各凹凸パターン群を用いて調整を行った場合に、データ領域における再生信号のビットエラー率を比較した結果を示した。各パターン群に入っているパターンを構成するピットとスペース部は次のとおりである。比較のため、長さがＤ／４未満のピット（Ｚｍ）とＤ／４未満のスペース部（Ｚｓ）もパターン群２には取り入れた。
パターン群１：Ｓｍ（Ｓｓ）、Ｍｍ（Ｍｓ）、Ｌｍ（Ｌｓ）、Ｘｍ（Ｘｓ）
パターン群２：Ｚｍ（Ｚｓ）、Ｍｍ（Ｍｓ）、Ｌｍ（Ｌｓ）
パターン群３：Ｍｍ（Ｍｓ）、Ｌｍ（Ｌｓ）、Ｘｍ（Ｘｓ）
パターン群４：Ｓｍ（Ｓｓ）、Ｍｍ（Ｍｓ）、Ｌｍ（Ｌｓ）
パターン群５：Ｓｍ（Ｓｓ）、Ｘｍ（Ｘｓ）
パターン群６：Ｓｍ（Ｓｓ）、Ｌｍ（Ｌｓ）、Ｘｍ（Ｘｓ）
【００３９】
凹凸パターン群１を用いて調整した場合、データ領域における再生信号のビットエラー率は、マーク長の長さに偏ることなく各マーク長にてエラー率を十分低く出来ることがわかった。このような、スポットに対する長さの異なる４種類ずつの凹凸部とスペース部は、スポットサイズに対しての面積比が大きく異なる組合せであるため、これら全てのパターンに対して光学系の再生条件を最適化することにより、再生時の信号品質をバランスよく整えることが可能となる。パターンの組合せは、各凹凸と各スペースの全ての組合せが含まれていることが好ましい。図１４の結果は、全ての組合せを含んだ場合の結果である。組合せが半減するとエラー率はおよそ倍になった。この他の凹凸パターン群２〜６を用いて調整を行った場合は、調整パターンに応じて調整結果が偏るため、データ再生時のエラー率が高い場合が生じてしまう。
【００４０】
また、データ部と同じパターンを用いた場合、データ部には長さがＤ／４のマークを含むため、エラー率が高すぎて調整が困難となるため、データ部とは異なるパターンが好ましい。さらに、データ部より、トラックピッチは狭い方が、平均反射率が低くなるため、層間クロストークを小さくすることができ好ましい。
【００４１】
なお、本実施例に記載していない装置の構成、再生方法等は実施例１、２、４，５と同様にした。
【００４２】
［実施例４］
次に、各種光ディスクを、図１５に示した記録再生装置により信号を再生評価する例を示す。ヘッド３０３の一部であるレーザ光源３３４（本実施例では波長約４０５ｎｍ）から出射された光はコリメータレンズ３３１を通してほぼ平行な光ビームへとコリメートされる。再生時のレーザ強度などの情報は、記録再生装置のメモリ３２９にも記録されており、制御回路（マイクロプロセッサ）３２７から得られた、レーザ強度やタイミングなどの情報を元に、レーザ光がレーザドライバ３２８により制御される。コリメートされた光ビームは、ビームスプリッタ３３６を透過し、収差補正素子３３７及び対物レンズ３３０を通して光ディスク３０１上に収束光１０８として照射され、スポット１０７を形成する。ディスクからの反射光は、ビームスプリッタ３３６や光の偏光面の制御を行うホログラム素子３３９などを通して、検出レンズ３３２及び３３３によりサーボ用検出器３５１及び信号検出器３５２へと導かれる。各検出器からの信号は加算・減算処理され、トラッキング誤差信号やフォーカス誤差信号などのサーボ信号となり、サーボ回路３７９に入力される。サーボ回路は得られたトラッキング誤差信号やフォーカス誤差信号をもとに、対物レンズアクチュエータ３７８や光ヘッド３０３全体の位置を制御し、光スポット１０７の位置を目的の記録・再生領域に位置づける。
【００４３】
検出器３５２の加算信号は信号処理部３０２へ入力される。入力信号は信号処理回路３２５によってフィルタ処理、周波数等化処理後、デジタル化処理される。ディスク上にグルーブ（溝部）のウォブルなどの形で形成されているアドレス情報は分割検出器３５２からの差動信号として検出され、信号処理部３０２中のウォブル検出回路３２２へと入力される。ウォブル検出回路３２２は、ウォブル信号と同期したクロックを生成し、ウォブル波形を弁別する働きを持つ。ウォブル検出回路３２２により検出されたウォブル信号はアドレス検出回路３２３によってデジタル情報に変換され、その後、復号回路３２６によってエラー訂正などの処理を行ってアドレス情報として検出される。検出されたアドレス情報をもとに、記録再生処理の開始タイミング信号などが生成されユーザデータの復調回路３２４が制御される。同時にアドレス情報は制御回路（マイクロプロセッサ）３２７にも送られ、アクセス制御などに用いられる。なお、演算処理手段３１３は分割検出器３５２によって検出された入力信号の演算を行う。自動位置制御手段３７６は、モータ３７７の回転制御とヘッドの位置制御を行う。
【００４４】
以上、実施例１から３では、記録型の多層光記録媒体について主に示したが、ピット等で記録マークが形成されているＲＯＭ型の多層光記録媒体についても、層間クロストーク低減方法及びゴースト低減領域の構成、効果などは、同様である。ＲＯＭ型の場合、図３（ｂ）に示した膜構成は、反射膜のみ又は反射膜と保護膜から構成され、レーザ光の照射により反射率変化を生じる記録層は用いない。
【００４５】
［実施例５］
図１６（ａ）は、本発明のもう一つの実施例の多層記録媒体の断面構造を模式的に示したものである。
【００４６】
図１６（ｃ）に、本媒体を半径方向に切断した場合のレイアウトを示した。本実施例では、光入射側より２番目から光入射と反対側より２番目までの記録層、つまりＬ４からＬ１にゴースト防止領域２２３が形成されている。ゴースト防止領域には、ピッチ０．３μｍ、幅０．１４μｍ、深さ２５ｎｍの溝が隙間無く形成されている。このゴースト防止領域は、Lead-in領域２２０といったデータ以外の情報をもつ領域から内周の端まで形成され、Lead-out領域２２２から外周の端まで形成されている。こうすることにより、溝形成を端まで行うことは難しくなるが、ゴースト防止領域２２３が広くとれるため、クロストーク低減の観点から好ましい。
【００４７】
なお、本実施例に記載していない媒体及び装置の構成、再生方法等は実施例１〜４と同様にした。
【図面の簡単な説明】
【００４８】
【図１】従来の多層光記録媒体の構造を示す図。
【図２】３層以上の多層光記録媒体における問題点を説明する図。
【図３】本発明の多層光記録媒体の構造例を示す図。
【図４】本発明の多層光記録媒体における再生信号を示す図。
【図５】比較例の多層光記録媒体における再生信号を示す図。
【図６】偏芯によるパターン領域のずれを示す概念図。
【図７】層間クロストークにより変動した信号のレベル差と溝深さの関係を示す図。
【図８】ゴースト防止領域の断面図。
【図９】ゴースト防止領域が溝状の形状からなる場合の平面図。
【図１０】ゴースト防止領域の凹凸サイズとスポットサイズの関係を示す図。
【図１１】ゴースト防止領域が孤立形状からなる場合の平面図。
【図１２】ゴースト防止領域が孤立形状からなる場合の別の例を示す図。
【図１３】ゴースト防止領域の別の例を示す図。
【図１４】ゴースト防止領域のパターン群により調整した場合の再生信号のエラー率を示す図。
【図１５】多層光記録再生装置の構成例を示す図。
【図１６】本発明の別の多層光記録媒体の構造例を示す図。
【符号の説明】
【００４９】
１０１〜１０６：記録層、１０７：光スポット、１０８：収束光、１１５：反射膜、１１６：保護膜、１１７：記録膜、１１８：保護膜、１１９：基板、１２０：パターン領域、１２１：凹凸のない平らな領域、２０１〜２０６記録層、２１０〜２１４：層間層、２２０：Lead-in領域、２２１：データ領域、２２２：Lead-out領域、２２３：ゴースト防止領域、２２４：パターン領域、３０１：光ディスク、３０２：信号処理部、３０３：光ヘッド
【図１】
0005030842.tif 000005
【図２】
0005030842.tif 000006
【図３】
0005030842.tif 000007
【図４】
0005030842.tif 000008
【図５】
0005030842.tif 000009
【図６】
0005030842.tif 000010
【図７】
0005030842.tif 000011
【図８】
0005030842.tif 000012
【図９】
0005030842.tif 000013
【図１０】
0005030842.tif 000014
【図１１】
0005030842.tif 000015
【図１２】
0005030842.tif 000016
【図１３】
0005030842.tif 000017
【図１４】
0005030842.tif 000018
【図１５】
0005030842.tif 000019
【図１６】
0005030842.tif 000020